(57)【要約】【課題】  薬剤散布を減らし病虫害を予防できる鉢底石、リサイクルしやすい鉢底石、底面給水しやすい鉢底石、植物の根が出にくい鉢底石、土が流出しない鉢底石、植物の生育を阻害しない、破棄しても環境に悪影響がない、鉢底石が望まれる。【解決手段】  植木鉢の排水穴を塞ぐことにより害虫が出入りできない、根がはみ出ない、土が流出しない、1個の固化物にすることによりリサイクルしやすい、空洞が少ないので底面給水しやすい、マグネシュウムと砂を主成分にすると植物の生育を阻害しない、破棄しやすい等の問題が解決され薬剤散布の回数が減る、また製造工程においても焼き上げないために2酸化炭素の排出もおさえられる。【選択図】  図2
2008154485.tif 000002
【特許請求の範囲】
【請求項１】
植物栽培用の鉢と鉢底石を密着させることより鉢底の排水穴を塞ぐことを目的とした鉢底石
【請求項２】
請求項１にて使用の鉢底石で作成した排水穴のない植木鉢
【請求項３】
請求項1にて使用の鉢底石で作った排水口や排水溝およびその蓋
【請求項４】
請求項１にて使用の鉢底石を鉢土の上に敷き詰めて鉢土を覆いかぶせた植木鉢
【発明の詳細な説明】
【技術分野】
【０００１】
本発明は植木鉢や育苗ポット等で植物の栽培中に育苗ポット及び植木鉢の底部排水穴が原因の生育不良や病虫害を防ぐのが目的である。
【発明の開示】
【発明が解決しようとする課題】
【０００２】
本発明が解決しようとする課題は、現在植物栽培用の鉢や育苗ポットの底に排水通気を目的とした穴があり、従来の技術ではその上に、排水の促進と土の流出防止のためごろ土等の鉢底石で空間を構成したりネット状のものを敷いたりしているため害虫の巣になることが多い、害虫はその多くが病菌の運搬者であり害虫を駆除することが病気の発生を防ぐものである。しかし近年薬剤の散布による病虫害の駆除を敬遠する風潮があり環境に易しい方法が望まれている。
【０００３】
また野菜や花の苗の栽培は短期間に早く生育させるため高温多湿状態で栽培をすることが多く生育がはやいために栽培用の鉢や育苗ポットの排水穴から多量の根がはみ出ることが多く定植時や苗の販売時にはみでた根が切れるのでその傷口から初期の生育不良や病害の原因になることが多い。
さらにはみ出た根が地面に伸びて鉢と地面が離れなくなる、また植え替え時に鉢底石と土の分離がしにくいので土の再利用時に鉢底石が土に混入する等の問題点がある。
そのうえ自動潅水栽培に底面潅水を採用すると鉢の排水穴周辺の空気が鉢土を浮き上がらせることがある。
【課題を解決するための手段】
【０００４】
本発明では課題を解決するための手段として鉢底石を1個にすると土との分離が容易になり鉢底石と土の再利用が容易になる、さらに平らにして鉢の底に貼り付けるように置くと空間がなくなり虫の出入りがとめられると同時に植物の根も出られなくなる。
【０００５】
本発明では通常使う鉢底石を平らにして鉢の底を塞げば排水不良を起こす、また火山岩等の発泡石を平らに鉢底石としてつかうと石の空洞がおおきいために最初はよく排水するが土や有機物が発泡石の空洞につまり排水不良を起こすのである。
【０００６】
そこで本発明では鉢底石の排水性を高めるため鉢底石の材質に通水性のよい砂や真砂土を用いて固化し1個の鉢底石とするものである、それにより鉢底石は水と水溶性の無機物を通すが土や有機物を通さないため排水性が弱まらない効果がある
それにより排水通気がよく虫が入らず根がはみ出ない鉢底石ができるのである、また本発明の鉢底石は鉢と一体として鉢の底一面に使用することも可能であり、鉢自身を固化物で作ることも可能である、その場合鉢全面から給水が可能となり鉢を土中に埋設しての栽培や溶液栽培での使用が可能となる。
また底面給水をしても鉢と鉢土が分離し浮き上がることはない。
【発明の効果】
【０００７】
従来の商品は鉢底石としてごろ土や大粒小粒の石と落下止めのネットで構成されているまた他の例では刻んだ稲わらを１〜２センチ敷きこむ、ハッポウスチロールを砕いて敷き詰める等の方法もあるがいずれも鉢土よりも排水性の高いものを用いているが、いずれも鉢の底に空間を作ることで排水性を高めている。
【０００８】
その結果鉢の上からの潅水には最良であるが鉢底からの給水には土が浮き上がる、また鉢底の空洞に虫が入り病気が伝染する、根がはみ出て地面とくっつく、リサイクル時に土と石の分離が面倒等の問題がある。
本発明では鉢底石の通水性は鉢土よりも高く排水力に問題はなく空洞がないため底面給水が可能である、また虫も空洞がないため排水穴の中に入れない、植物の根も出られない、鉢土と鉢底石の分離が容易である等のすべての問題点が解決するのである。
【発明を実施するための最良の形態】
【０００９】
真砂土等を固化するには自然界の土中に存在する無機物の化合物を利用すると植物の拒否反応が小さいと思われる、そのひとつは水ガラス（珪酸ナトリュウム）を用いる方法である、またアルミナセメント、マグネシアセメント、カルシュウム（ポルトランド）セメントなどがある、ポルトランドセメントはアルカリが強いため植物を選ぶがいずれも使用は可能である、本発明では二種類のマグネシュウムとアルミナ、真砂土と水の混合物を採用した、固まるのは遅いがマグネシュムは胃薬等に使われているように人体にも植物にも影響が少なく安全であり素手で製作できるものである、その完成品は排水がよく材料の溶出がすくなく成分も不要になれば割ると自然界の砂そのものである、PHも中性のために本発明の製造方法に採用した、また他のセメントもその量と水分の量のバランスや植物の嗜好により色々の固化剤及びセメントも使用が可能である。
【００１０】
本発明の実施例による鉢底石図1アを図2の鉢イの底に置くことにより鉢底に図3ウのような空洞がなくなり病害虫の侵入を防ぐ、根の侵出を防ぐ、空洞がないため鉢底給水をしても鉢土の浮き上がりは起こらない。
また図4の石垣やよう壁では一部を固化物（エ）に変えれば排水パイプ工法よりも美観によい、また図5のように排水口を本発明の固化物（オ）で埋めてしまうと近代工作物の排水口よりも景観がよくなり社寺庭園の価値が高まる。
次に発展的使用方法として本発明の鉢底石を図6のように鉢土の被せ穴を開けておき植物の種をまくと鉢土の表面はコケやカビは生えず鉢土は直射日光をさえぎられるため水分の蒸散を避けることができる。また大根の種を播けばど根性大根にすることができる。
【産業上の利用可能性】
【００１１】
本発明の鉢底石は植木鉢による植物の栽培上有益な発明であり、薬剤散布の回数が減る、底面潅水が可能になる、鉢土及び鉢底石の再利用が容易になる、鉢底から土が流れ出ない、等の利点がある。
また使用方法を拡大してみると石垣の排水口や社寺の側溝を鉢底石で埋めることにより近代性を消すことができ昔の建造物の雰囲気をかもし出すことができるほかど根性大根等の楽しい企画も成立する。
【図面の簡単な説明】
【００１２】
【図１】実施例の鉢底石図
【図２】図1の実施例図
【図３】従来の例図
【図４】石垣面の実施図
【図５】側溝の実施図
【図６】図１の実施例の応用図
【符号の説明】
【００１３】
ア  本発明の鉢底石
イ  植木鉢
ウ  従来の鉢底石
エ  石垣の排水口
オ  側溝
【図１】
2008154485.tif 000003
【図２】
2008154485.tif 000004
【図３】
2008154485.tif 000005
【図４】
2008154485.tif 000006
【図５】
2008154485.tif 000007
【図６】
2008154485.tif 000008